(57)【特許請求の範囲】
【請求項１】
クライアント側である携帯電話がロケータを指定して所定サーバーにアクセスすることにより、その所定サーバーが保持しているコンテンツを必要に応じて取得するように構成されているクライアントサーバーシステムにおいて、
前記所定サーバーは、アクセスしようとする前記携帯電話の製造メーカーを識別する機能を有しており、
前記携帯電話は、前記所定サーバーへのアクセス時に、前記製造メーカを識別する識別情報を、前記サーバーに送り、
前記所定サーバーは前記識別情報をチェックし、このチェック結果が指定の前記製造メーカの端末であると判断した場合のみ、前記コンテンツを前記携帯電話にダウンロードさせるようになっており、
前記携帯電話は、前記携帯電話の事業者が運営する事業者サーバーを介して前記所定サーバーにアクセスするようになっており、
前記事業者サーバーは、前記携帯電話からのアクセスを受け付け、前記ロケータを識別し、
このロケータ先である前記サーバーに、前記クライアントの前記識別情報、および前記事業者サーバーの事業者識別情報を送信し、
前記所定サーバーでは、前記携帯電話の前記識別情報、前記事業者識別情報の両者をチェックすることで、前記コンテンツの前記ダウンロードをさせるか否か判断することを特徴とするクライアントサーバーシステム。
【請求項２】
前記所定サーバーは、前記製造メーカー以外の端末のアクセスを拒否して、所有する全てのコンテンツの提供を不可能としていることを特徴とする請求項１記載のクライアントサーバーシステム。
【請求項３】
前記所定サーバーは、前記製造メーカー以外の端末にでもアクセスを許可するコンテンツを一部有することを特徴とする請求項１記載のクライアントサーバーシステム。
【請求項４】
前記事業者サーバーから前記所定サーバーに送られるデータ構成は、予め決められたヘッダ領域と、自在に記載可能なデータ領域とからなり、少なくとも前記クライアントの識別情報は、前記データ領域に格納されていることを特徴とする請求項１記載のクライアントサーバーシステム。
【発明の詳細な説明】
【０００１】
【発明の属する技術分野】
本発明は、クライアントがサーバーにアクセスすることにより、そのサーバーが保持しているコンテンツを必要に応じて取得するように構成されているクライアントサーバーシステム、そのサーバー、クライアント側の通信端末に関するものである。
【０００２】
【従来の技術】
例えば、インターネット上においては、パーソナルコンピュータや携帯電話（クライアント）等を使用するユーザがＷＷＷ（Ｗｏｒｌｄ  Ｗｉｄｅ  Ｗｅｂ）ブラウザを起動して、企業や団体、或いは個人などがＷＷＷサーバー上において開設しているホームページ（サイト）にアクセスし、画像や文字、或いは音声などの情報（コンテンツ）データをダウンロードすることが行われている。そして、クライアント側にダウンロードされたデータが例えば画像データであればディスプレイ上に表示され、ユーザは、ホームページの画像を閲覧することができる。
【０００３】
【発明が解決しようとする課題】
この場合、あるホームページに対してどの様なクライアントがアクセスしたとしても、そこからダウンロードできるコンテンツデータは常に同一である。より具体的に言えば、例えばあるホームページに対して、Ａ社製，Ｂ社製，Ｃ社製の携帯電話が夫々アクセスした場合、各社の携帯電話がブラウザによって閲覧できる画像等は全く同じであり、製造メーカーによって、差別化、つまり特色を出すことができず、面白みがなかった。
【０００４】
本発明は上記事情に鑑みてなされたものであり、その目的は、ある製造メーカーのクライアント（端末）を、他社メーカーのクライアントより差別化でき、より特色が出せるクライアントサーバーシステム、サーバーおよびクライアントである通信端末を提供することにある。
【０００５】
【課題を解決するための手段】
請求項１記載の発明のシステムでは、所定サーバーは、アクセスしようとするクライアントの端末の製造メーカーを識別する機能を有しており、クライアントは、所定サーバーへのアクセス時に、製造メーカを識別する識別情報を、所定サーバーに送り、サーバーは前記識別情報をチェックし、このチェック結果が指定の製造メーカの端末であると判断した場合のみ、コンテンツを前記端末にダウンロードすることを特徴としている。
【０００６】
これにより、例えば所定サーバー上で開設されているホームページ（コンテンツ）に対して、Ａ社製，Ｂ社製，Ｃ社製のクライアント（端末）が夫々アクセスすることを想定する。この時、所定サーバー側では、クライアントから送られる識別情報にて、正規の製造メーカー（Ａ社製とする）のクライントかチェックする。そして、このチェック結果が正規の製造メーカーＡであると、判断すると、コンテンツをクラインアトＡにダウンロードするよう処理する。一方、Ｂ社製，Ｃ社製の何れの端末装置がアクセスしてきた場合では、コンテンツのダウンロードが拒否される。
【０００７】
この結果、製造メーカーＡは、他の製造メーカーＢ、Ｃに対して、専用の独自のコンテンツをダウンロードでき、製造メーカー独自の特徴、特色を出し、差別化を果たすことができる。
【０００８】
また、例えば、所定サーバー内コンテンツとしては、請求項２記載の発明のように、サーバーは、製造メーカー以外の端末のアクセスを拒否して、所有する全てのコンテンツの提供を不可能としても良い。また、請求項３記載の発明のように、所定サーバーは、製造メーカー以外の端末にでもアクセスを許可するコンテンツを一部有するようにしても良い。
【０００９】
また、請求項１記載の発明では、事業者サーバーは、クライアントである携帯電話からのアクセスを受け付け、ロケータを識別し、このロケータ先である所定サーバーに、クライアントの識別情報、および前記事業者サーバーの事業者識別情報を加えて送信し、サーバーでは、クライアントの識別情報、事業者識別情報の両者をチェックすることで、コンテンツの提供するか否か判断することを特徴としている。
【００１０】
ここで、携帯電話の事業者は、その管理下にある携帯電話へのサービスの窓口となる事業者サーバーをネットワーク上に配置している。従って、その事業者の管理下にある携帯電話（Ａ、Ｂ、Ｃ社製）は、事業者サーバーを経由して、必要なコンテンツを携帯電話に提供することが一般的である。
【００１１】
そこで、請求項１によれば、このような事業者のコンテンツ提供サービスにおいて、サーバーでは、事業者サーバーを経由した識別情報である事業者識別情報と、携帯電話の識別情報との両方をチェックすることで、事業者サーバーを経由しないでサーバーにアクセスする不正者、クライント識別情報を持たない不正なアクセス者を厳しくチェックすることができる。
【００１２】
また、請求項４記載の発明では、請求項１記載の発明において、事業者サーバーから所定サーバーに送られるデータ構成は、データ構成は予め決められたヘッダ領域と、自在に記載可能なデータ領域とからなり、少なくとも前記クライアントの識別情報は、前記データ領域に格納されていることを特徴としている。
【００１３】
これにより、クライアント識別情報が自在に記載可能なデータ領域に格納されているため、クライアント識別情報をヘッダ領域に記載するのに比べて、不正者がクライアント識別情報を偽造して、サーバーにアクセスすることを厳しく規制することができる。
【００２２】
【発明の実施の形態】
以下、本発明の実施形態について図１乃至図５を参照して説明する。図１はクライアントサーバーシステム１の概略構成を示すものである。なお、本実施例におおける携帯電話を仮にＤ社が製造したものとして説明する。
【００２３】
携帯電話（クライアント，携帯型無線通信装置）２の内部には、ＷＷＷサーバー上に提供されているホームページにアクセスして必要なコンテンツのデータをダウンロードするためのアプリケーションソフトウエアであるブラウザ３が組み込まれて（インストールされて）いる。なお、ブラウザ３は、図３に示すように携帯電話２が事業者に納入する前、すなわちユーザーに販売する前に製造メーカーＤにてインストールされている。
【００２４】
携帯電話２は、その管理下にある事業者サービス（ネットワーク５０）において、基地局４を介して音声通話が可能となっている。また、上記ネットワーク５０は、基地局４を介して管理センタ５（本発明の事業者サーバー５１）にアクセス可能となっており、インターネット上のコンテンツを携帯電話３に提供可能となっている。つまり、事業者は、自社のサービスとして、インターネット６上のコンテンツを携帯電話にダウンロードするデータ情報サービスを運営管理し、加入者促進を図っている。
【００２５】
管理センタ５には、上記インターネット６を介して専用サーバー７（本発明の所定サーバー）が接続されており、その専用サーバー７上において様々なサイトが提供されている。また、ＣＧＩ８はサーバー７に組み込まれており、携帯電話２などのクライアントによってサーバー７にアクセスが行われる場合に、そのアクセスを制御するためのインターフェイスソフトウエアである。
【００２６】
図２は、携帯電話２の内部における電気的構成を示す機能ブロック図である。図２において、携帯電話２は、マイクロコンピュータなどからなる制御回路９を中心として構成されている。制御回路９には、操作キー１０からの操作信号が与えられるようになっている。また、制御回路９は、ＬＣＤ（表示手段）１１における表示を制御するようになっている。送話用のマイク１２に入力された音声信号は、音声処理部１３によりＡ／Ｄ変換されると、データ変換部１４により例えばπ／４シフトＤＱＰＳＫ（Ｄｉｆｆｅｒｅｎｔｉａｌ  Ｑｕａｄｒａｔｕｒｅ
Ｐｈａｓｅ  Ｓｈｉｆｔ  Ｋｅｙｉｎｇ）信号に変換される。
【００２７】
ＤＱＰＳＫ信号は、送受信部１５において例えば８００ＭＨｚ帯の搬送波信号によって直交変調され、アンテナ１６から電波信号として外部に送信されるようになっている。一方、アンテナ１６が電波信号を受信すると、受信信号は上記と逆の経路で復調されＤ／Ａ変換されて、受話用のスピーカ１７より音声信号として出力される。
【００２８】
制御回路９は、音声処理部１３，データ変換部１４，送受信部１５の制御を行うようになっている。また、制御回路９には、ＲＯＭ，ＲＡＭやＥＥＰＲＯＭなどからなる記憶部１８が接続されており、制御回路９は、必要に応じて記憶部１８に対するデータの書込みや読出しを行うようになっている。
【００２９】
音源ＩＣ（楽音出力手段）１９は、着信用のメロディー等を発生させるためのＩＣであり、制御回路９より与えられるデータに応じた楽音を、音源用スピーカ（楽音出力手段）２０を介して出力するようになっている。
【００３０】
また、携帯電話２は、音声データの送受信による通話の他にデータ通信も可能に構成されており、クライアントサーバーシステム１においてデータ通信を行うようになっている。尚、ブラウザ３は、携帯電話２の記憶部１８に記憶されており、制御回路９により読み出されて実行される。また、記憶部１８には、上記専用サーバー７へのロケータ（ＵＲＬ）が記憶されており、操作キー１０を操作することで、容易に専用サーバー７へアクセスが可能である。ロケータは、携帯電話２が事業者に納入前（発売前）に、製造メーカーＤで予め格納されている。
【００３１】
次に、本実施例の作用について図４、図５をも参照して説明する。図５は、クライアントである携帯電話２がサーバー８にアクセスして、コンテンツデータをダウンロードする場合におけるシーケンスの概略一例を示すものであり、事業者サーバー５１と、専用サーバー７との通信は、ＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）上で実行される手順である。また、携帯電話２と基地局４（管理センター５）との間は、特に上記ＴＣＰ／ＩＰでなくても良く、どのような通信手順であってもよい。
【００３２】
ここで、携帯電話２は例えばＤ社製で、サーバー７もＤ社が管理しており、そのサーバー７上においてＤ社のホームページが開設されているものとする。
【００３３】
先ず、▲１▼の処理として、携帯電話２側のブラウザ３は、ユーザの操作によって起動され、その画面表示で、表示される上記記憶部１８に記憶されたロケータ（ＵＲＬ）を選択する。このように、専用サーバー７内のコンテンツ（Ｄ社のホームページのトップ：ページ（Ａ）のコンテンツデータをダウンロードするためのＵＲＬが指定されると、そのページ（Ａ）の要求を事業者サーバー５１側に送信する。
【００３４】
そして、この送信データとしては、携帯電話２が事業者の管理下にある端末であるかを示す事業者識別情報（例えばＪ）と、その携帯電話の製造メーカーを表わすメーカ識別情報（例えばＤＮ、本発明のクライアントの識別情報）を含む。
【００３５】
すると、これを受け取った事業者サーバー５１は、事業者識別情報Ｊを識別し、正規の携帯電話であるかチェックし、このチェックがＯＫであると、さらに要求されたＵＲＬ、およびメーカー識別情報、を、図４のＴＣＰ／ＩＰのデータフォーマットで専用サーバー７に送る。また、このデータフォーマート（データ構成）は、周知のように、予め決められたヘッダフィールド（領域）と、自在に記載可能なデータフィールドとからなり、上記ＵＲＬは、データフィルードに格納されている。また、メーカ識別情報も、データ領域に格納されている。
【００３６】
このようにメーカー識別情報ＤＮが自在に記載可能なデータ領域に格納することで、メーカー識別情報をヘッダフィールドに記載するのに比べて、不正者がメーカ識別情報を偽造して、サーバーにアクセスすることを厳しく規制することができる。
【００３７】
次に▲２▼の処理では、専用サーバー７では、図４に示すデータを受け取ると、そのデータの中に含まれるメーカ識別情報ＤＮ、および送信元であるサーバー識別情報（本発明の事業者識別情報）である送信元ＩＰアドレスの両方をチェックする。これにより、事業者サーバー５１を経由しないで専用サーバー７にアクセスする不正者、メーカー識別情報ＤＮを持たない不正なアクセス者を厳しくチェックすることができる。
【００３８】
そして、専用サーバー７は、このチェックにより、ＩＰアドレス、メーカ識別情報が共に、専用サーバー７で予め記憶されているデータと一致した場合は、携帯電話２によって要求されたページ（Ａ）のＨＴＭＬ（Ｈｙｐｅｒ  Ｔｅｘｔ  Ｍａｋｅｕｐ  Ｌａｎｇｕａｇｅ）ソースファイル（コンテンツ）を、事業者サーバー５１を介して携帯電話２側にダウンロードさせる。
【００３９】
すると、携帯電話２の記憶部１８内にあるＲＡＭには、ページ（Ａ）のＨＴＭＬソースファイルがダウンロードされる。続いて、ブラウザ３はＨＴＭＬソースファイルのコードを解析し、表示可能な部品の画像データをＬＣＤ１１に出力する。また、ソースファイル中に例えば写真等の画像情報が存在する場合には、サーバー７に対してその画像を要求し、画像データをダウンロードする。なお、携帯電話２にダウンロードされるデータは、画像（背景画像など）、音楽データ等である。
【００４０】
一方、専用サーバー７は、上記チェックにより、ＩＰアドレス、メーカ識別情報の一方でも、専用サーバー７で予め記憶されているデータと一致しない場合、つまり、他社メーカーの携帯電話がアクセスした場合は、アクセスを禁止したり、▲３▼のように警告を表わすページをダウンロードする。もしくは▲４▼のようにページ送信拒否あるいは無視をする。
【００４１】
以上のように、専用サーバー７内のコンテンツは、製造メーカーＤ社の携帯電話でしかダウンロードできず、この結果、製造メーカーＤは、他の製造メーカーに対して、専用の独自のコンテンツをダウンロードでき、製造メーカー独自の特徴、特色を出し、差別化を果たすことができる。
【００４２】
また、製造メーカーＤは、予め専用サーバー７のＵＲＬを記憶部１８に記憶させ、ブラウザ３で容易にＵＲＬを選択しアクセスできる状態で、事業者に納入販売すするため、製造メーカー独自の特徴、特色を出し、差別化を果たした携帯電話を容易に販売することができる。
【００４３】
本発明は上記し且つ図面に記載した実施例にのみ限定されるものではなく、次のような変形または拡張が可能である。
【００４４】
上記実施例に述べたものは、プログラムをダウンロードし、携帯電話にインストールすることでも達成できる。このプログラムの処理を図６に示す。図６は、図５における携帯電話側のプログラム動作を示すものである。
【００４５】
図６において、所定のキー操作が行なわれて、ステップＳ１００にてメモリ１８に記憶されているＵＲＬが指定されると、ステップＳ２００にてメーカー識別情報ＤＮがメモリ１８が抽出（読み出されて）される。次にステップＳ３００にて上記識別情報ＤＮを送信（ＵＲＬ、Ｊ含む）する。このようなプログラムを例えばサーバーからダウンロードし、携帯電話にインストールすることでも、上述した作用効果が得られる。
【００４６】
上記実施例におけるクライアントサーバーシステムにおいて、専用サーバー７は、製造メーカーＤ以外の電話端末のアクセスを拒否して、所有する全てのコンテンツの提供を不可能としているが、専用サーバー７は、製造メーカーＤ以外の端末にでもアクセスを許可するコンテンツを一部有するようにしても良い。
【００４７】
また、上記実施例では、専用サーバー７は、電話製造メーカーＤが運営したが、メーカーＤが他の会社に委託して、設置しても勿論よい。要は、携帯電話２のブラウザ３と専用サーバー７のＣＧＩプログラムとがマッチしてれば良い。
【００４８】
また、上記実施例では、サーバー識別情報としてヘッダーフィールドの送信元ＩＰアドレスを使用したが、事業者サーバー５１で独自に識別情報を付与し、これをデータフィールドに格納しても良い。
【００４９】
また、本発明では、クライアントは、携帯電話２に限らずＰＨＳ（Ｐｅｒｓｏｎａｌ  Ｈａｎｄｙｐｈｏｎｅ  Ｓｙｓｔｅｍ）でも良い。また、モデムやＴＡを介して通信可能であるパーソナルコンピュータなどでも良い。
【図面の簡単な説明】
【図１】本発明の実施例において、クライアントサーバーシステムのシステム図を表わす図である。
【図２】上記実施例において、携帯電話の電気的構成を示す機能ブロック図である。
【図３】上記実施例における携帯電話の販売ルートを表わす図である。
【図４】ＩＰデータグラムのフィールド構成図
【図５】上記実施例におけるクライアントサーバーシステムの処理を表わす図である。
【図６】上記実施例における携帯電話内部の処理を表わすフローチャートである。
【符号の説明】
１はクライアントサーバーシステム、
２は携帯電話（クライアント，携帯型無線通信装置）、
３はブラウザ、
７はサーバー、
８はＣＧＩ。
【図１】
0003744364.tif 000002
【図２】
0003744364.tif 000003
【図３】
0003744364.tif 000004
【図４】
0003744364.tif 000005
【図５】
0003744364.tif 000006
【図６】
0003744364.tif 000007